(57)【要約】【課題】建築現場において、溶接作業が一切発生せず、パネル一枚ずつ確実に施工でき、且つ、施工性を向上でき、取り付けミスや施工不良を低減できるパネル取付構造を提供すること。【解決手段】パネル取付構造１は、ＡＬＣパネル１００には、柱２００に当接する短辺側側縁の小口１００ａから中央方向に延びるアンカー穴１０１と、短辺側側縁近傍において内面１００ｂから外面１００ｃに向けて延びてアンカー穴１０１と交差する軸穴１０２と、が形成され、アンカー穴１０１に挿入されるアンカー１０と、軸穴１０２に先端部分が挿入され、アンカー１０と係合する軸部材２０と、柱２００に取り付けられ、ＡＬＣパネル１００の内面１００ｂに対面して配置され、軸部材２０が挿通する挿通孔３１が形成された３０と、軸部材２０の後端部分を、３０に固定する固定部材４０と、を備える。【選択図】図２
2014196657.tif 000002
【特許請求の範囲】
【請求項１】
外壁として使用される軽量気泡コンクリートパネルを柱に固定するためのパネル取付構造であって、
前記軽量気泡コンクリートパネルには、前記柱に当接する側縁の小口から中央方向に延びるアンカー穴と、前記側縁近傍において内面から外面に向けて延びて前記アンカー穴と交差する軸穴と、が形成され、
前記アンカー穴に挿入されるアンカーと、
前記軸穴に先端部分が挿入され、前記アンカーと係合する軸部材と、
前記柱に取り付けられ、前記軽量気泡コンクリートパネルの前記内面に対面して配置され、前記軸部材が挿通する挿通孔が形成されたプレートと、
前記プレートに挿通された前記軸部材の後端部分を、前記プレートに固定する固定部材と、を備えるパネル取付構造。
【請求項２】
前記軽量気泡コンクリートパネルの前記側縁は、前記軽量気泡コンクリートパネルの短辺である請求項１に記載のパネル取付構造。
【請求項３】
前記プレートと前記軽量気泡コンクリートパネルとの間に配置され、前記プレートと前記軽量気泡コンクリートパネルとの界面に生ずる摩擦力を低減する弾性部材を、更に備える請求項１又は２に記載のパネル取付構造。
【請求項４】
前記挿通孔が、前記プレートの一辺に向けて開放されていることにより、前記軸部材を前記プレートの一辺からパネル面の中心方向に向けて挿入可能なＵ字型スリットとなっている請求項１から３のいずれかに記載のパネル取付構造。
【請求項５】
前記Ｕ字型スリットが、プレート端部側の幅広部と、プレート中心側の幅狭部と、からなり、
前記幅広部の幅は、前記軸部材のワッシャー部の直径よりも大きく、
前記幅狭部の幅は、前記ワッシャー部の直径よりも小さく、前記軸部材のボルト径よりは大きい、請求項４に記載のパネル取付構造。
【請求項６】
前記プレートの上端と下端にそれぞれ係合可能な爪部を有するコの字型プレートが、前記プレートと前記固定部材との間に設置されている請求項４又は５に記載のパネル取付構造。
【請求項７】
前記プレートの上端と下端には、前記爪部が係合可能な爪部係合スリット部が形成されている請求項４から６のいずれかに記載のパネル取付構造。
【請求項８】
前記プレートは、その上端側の爪部係合スリット部の深さが、下端側の爪部係合スリット部の深さよりも小さい請求項７に記載のパネル取付構造。
【請求項９】
外壁として使用される軽量気泡コンクリートパネルを柱に固定するためのパネル取付工法であって、
前記軽量気泡コンクリートパネルに形成された、前記柱に当接する側縁の小口から中央方向に延びるアンカー穴に、アンカーを挿入するアンカー挿入工程と、
前記軽量気泡コンクリートパネルに形成された、前記側縁近傍において内面から外面に向けて延びて前記アンカー穴と交差する軸穴に、軸部材の先端部分を挿入して、前記軸部材と前記アンカーとを係合させる軸部材挿入工程と、
前記軸部材の後端部分を、前記柱に取り付けられ、前記軽量気泡コンクリートパネルの前記内面に対面して配置された挿通孔に挿通する軸部材挿通工程と、
前記に挿通された前記軸部材の後端部分を、前記に固定部材で固定する固定工程と、を含むパネル取付工法。
【発明の詳細な説明】
【技術分野】
【０００１】
本発明は、パネル取付構造及びパネル取付工法に関し、詳しくは、外壁として使用される軽量気泡コンクリートパネルを柱に固定するためのパネル取付構造及びパネル取付工法に関する。
【背景技術】
【０００２】
従来、軽量気泡コンクリートパネル（以下、「ＡＬＣパネル」とも言う）は、その性能から様々な建築物の壁や間仕切、屋根、床と広範囲に使われている。特に工場や倉庫等の用途に使われる建物の外壁に多く使われており、その実績も非常に多い。近年、建築現場では、省力化、工程短縮をするため簡便な施工方法が望まれている。このため、ＡＬＣパネルの取付工法は、目地にモルタルを充填する挿入筋構法からモルタルを充填しない乾式のロッキング構法に全て切り替わる等、建築現場における施工性向上に繋がる構法の改良がなされてきた。
【０００３】
しかし、ＡＬＣパネルの取付工法は、ＡＬＣパネルを建て込み、このＡＬＣパネルを取り付ける為の下地鋼材や取り付け金物を柱等の構造躯体へ溶接で取り付け、この下地鋼材等にＡＬＣパネルを建て込むことは何ら変わっていない。このため、施工者における、溶接の技量やＡＬＣパネルを建て込む技量がトータル品質に影響を与え、施工者の技量に応じてトータル品質が異なるという問題が生ずる場合もある。よって、ＡＬＣパネルの取付構造や取付工法には、溶接の技量だけではなくパネルを建て込む場合における技量もできるだけ簡略化した構法であり、施工者の技量に依存することが少ない構法が求められている。
【０００４】
工場や倉庫の建物の外壁として使用されるＡＬＣパネルは、一般的に横壁で取り付けられる場合が多い。このような横壁によるＡＬＣパネルの取付構造として、柱にＬ型の鋼材である定規アングルを前後方向に調整して取り付け、その定規アングルにＡＬＣパネルを押し当てて所定の取り付け金物で固定する取付構造が提案されている（特許文献１参照）。特許文献１の取付構造によれば、ＡＬＣパネルを３〜５段毎に定規アングルに溶接で固定し、ＡＬＣパネルの重量を受けている。
【０００５】
一方、ラック倉庫等において建て込まれた鉄骨の柱は、その躯体精度が非常に高い。そこで、このような柱に予め高さ方向の外面に所定の間隔で平鉄の自重受け金物を溶着しておき、所望段に積み重ねられたＡＬＣパネルの長手方向の両端部付近の裏面側に埋設されたアンカーボルトに、ＡＬＣパネルの裏側から中央面に球面状の突起が設けられた１対のＺ型の金具を取り付け、この１対のＺ型の金具で柱を挾持して締着する横壁パネルの取付構造が提案されている（特許文献２参照）。特許文献２の取付構造によれば、特許文献１の取付構造のように定規アングルを使用せずに、直接構造用の躯体である柱にＡＬＣパネルを取り付けることができる。
【先行技術文献】
【特許文献】
【０００６】
【特許文献１】特開２０１０−１１２０９３号公報
【特許文献２】特許第２９２０２７５号公報
【発明の概要】
【発明が解決しようとする課題】
【０００７】
しかしながら、ラック倉庫で使用されている特許文献２の取付構造は、ＡＬＣパネルが平置きの状態で取り付けられた１対のＺ型の金具の球面状の突起で柱を挟持するため、金具と柱とが点で接しているのでＺ型の金具が曲がって取り付く可能性があった。
【０００８】
又、Ｚ型の金具の精度によっては平行する柱と直角が出ていなかった場合等は、Ｚ型の金具の突起と柱とが接触しないまま取り付く虞もある。又、特許文献２の取付構造は、隣接するＡＬＣパネルにそれぞれ取り付けられたＺ型の金具同士を締着する構造となっているので、建物の出隅や入隅部分では隣接するパネルが無いので、Ｚ型の金具が単体となり、建築現場においてＺ型の金具を柱に溶接で取り付けざるを得なくなっていた。
【０００９】
更に、特許文献２の取付構造は、１対のＺ型の金具を締着して柱を挟持することで、無溶接で取り付ける構造となっているため、Ｚ型の金具の取り付け精度が悪い場合は締着が甘くなり、大きな地震等が発生した場合、抜け落ちて脱落する虞もある。更に又、特許文献２の取付構造は、ＡＬＣパネルの長手方向の両端部付近に取り付けられたＺ型の金具を柱に引っ掛ける構造になっている。このため、隣接するＡＬＣパネルを建て込み、このＡＬＣパネルに取り付けられたＺ型の金具と、先に建て込んだＡＬＣパネルに取り付けられたＺ型の金具とを締着するまでは、先に建て込んだＡＬＣパネルは、柱にＺ型の金具を引っ掛けただけの構造となるため、風圧力や地震等の外力が生じた場合に、Ｚ型の金具が柱から外れ、ＡＬＣパネルが落下する危険があった。
【００１０】
又、特許文献１の取付構造は、建築現場において、Ｌ型の鋼材である定規アングルやスリットの入った金物の配置を調整して位置決めした後、溶接で固定、更にＡＬＣパネル取り付け用の金物や、ＡＬＣパネルの自重を受ける受け鋼材を柱に溶接する必要があるので、いずれにしても施工者の溶接の技量に左右される構造になる。
【００１１】
本発明は、上記課題に鑑みて提案するものであって、建築現場において、溶接作業が一切発生せず、パネル一枚ずつ確実に施工でき、且つ、施工性を向上でき、取り付けミスや施工不良を低減できるパネル取付構造及びパネル取付工法を提供することを目的とする。
【課題を解決するための手段】
【００１２】
（１）  外壁として使用される軽量気泡コンクリートパネルを柱に固定するためのパネル取付構造であって、前記軽量気泡コンクリートパネルには、前記柱に当接する側縁の小口から中央方向に延びるアンカー穴と、前記側縁近傍において内面から外面に向けて延びて前記アンカー穴と交差する軸穴と、が形成され、前記アンカー穴に挿入されるアンカーと、前記軸穴に先端部分が挿入され、前記アンカーと係合する軸部材と、前記柱に取り付けられ、前記軽量気泡コンクリートパネルの前記内面に対面して配置され、前記軸部材が挿通する挿通孔が形成されたプレートと、前記プレートに挿通された前記軸部材の後端部分を、前記プレートに固定する固定部材と、を備えるパネル取付構造。
【００１３】
（１）の発明によれば、パネル取付構造は、外壁として使用される軽量気泡コンクリートパネルを柱に固定する。軽量気泡コンクリートパネルには、柱に当接する側縁の小口から中央方向に延びるアンカー穴と、側縁近傍において内面から外面に向けて延びてアンカー穴と交差する軸穴と、が形成されている。
パネル取付構造は、アンカーと、軸部材と、プレートと、固定部材と、を備える。
アンカーは、軽量気泡コンクリートパネルのアンカー穴に挿入される。
軸部材は、軽量気泡コンクリートパネルの軸穴に先端部分が挿入され、アンカーと係合する。
プレートは、柱に取り付けられ、軽量気泡コンクリートパネルの内面に対面して配置され、軸部材が挿通する挿通孔が形成されている。
固定部材は、プレートに挿通された軸部材の後端部分を、プレートに固定する。
【００１４】
（１）の発明によれば、軽量気泡コンクリートパネルは、以下の手順で柱に取り付けられる。
まず、鉄骨製造工場において、挿通孔が形成されたプレートを柱の所定位置に取り付ける。ここで、柱の所定位置とは、当該柱が建築現場で建て込まれたときに、軽量気泡コンクリートパネルの内面に対面する位置である。そして、プレートを取り付けた柱を、建築現場に搬入し建て込む。
又、軽量気泡コンクリートパネル製造工場において、軽量気泡コンクリートパネルに、柱に当接する側縁の小口から中央方向に延びるアンカー穴を形成し、側縁近傍において内面から外面に向けて延びてアンカー穴と交差する軸穴を建築現場で形成する。
【００１５】
建築現場においては、まず、軽量気泡コンクリートパネルに形成された、柱に当接する側縁の小口から中央方向に延びるアンカー穴に、アンカーを挿入する。
次に、軽量気泡コンクリートパネルに形成された、側縁近傍において内面から外面に向けて延びてアンカー穴と交差する軸穴に、軸部材の先端部分を挿入して、軸部材とアンカーとを係合させる。
次に、柱に軽量気泡コンクリートパネルを建て込み、軸部材の後端部分を、柱に取り付けられ、軽量気泡コンクリートパネルの内面に対面して配置されたプレートの挿通孔に挿通させる。
最後に、プレートに挿通された軸部材の後端部分を、プレートに固定部材で固定する。
【００１６】
これにより、建築現場においては、軽量気泡コンクリートパネルに形成された穴にアンカー及び軸部材を挿入し、軸部材の後端部分を、柱に予め取り付けられたプレートの挿通孔に挿通し、固定部材で固定するだけで、軽量気泡コンクリートパネルを確実に柱に固定できる。
よって、建築現場での溶接作業を一切なくし、且つ、一枚ずつ確実にパネルを取り付けることができる。又、出隅部分も隣接するパネルがなくてもパネル両端で確実に取り付けることができるので、建築現場における溶接作業を全て無くすことができるため、施工性と施工精度の向上に繋がり、施工者の技量に依存する事も無く外壁面を構成することができる。
従って、建築現場において、溶接作業が一切発生せず、パネル一枚ずつ確実に施工でき、且つ、施工性を向上でき、取り付けミスや施工不良を低減できるパネル取付構造を提供できる。
【００１７】
（２）  前記軽量気泡コンクリートパネルの前記側縁は、前記軽量気泡コンクリートパネルの短辺である（１）に記載のパネル取付構造。
これにより、アンカー穴を、軽量気泡コンクリートパネルの短辺側側縁の小口に形成できる。
【００１８】
ここで、通常、軽量気泡コンクリートパネルの取り付け用のアンカーを挿入するアンカー穴は、軽量気泡コンクリートパネルの長辺側側縁の小口に形成される。この場合、アンカー穴の穴深さはパネルの幅方向に向かって５００ｍｍ以上の長さになってしまうため、非常に高い精度が求められ、位置がずれてしまった場合、内面側から穿孔される軸穴の位置に大きく影響を及ぼすことなる。
【００１９】
軽量気泡コンクリートパネルは、両端に取り付けられた、アンカーに接続された軸部材で、柱に取り付けられる。
（２）の発明によれば、アンカーが挿入されるアンカー穴を、軽量気泡コンクリートパネルの短辺側側縁の小口に形成するので、長辺側側縁の小口に形成した場合に比べ、穴深さが非常に短くてすむ。これにより、アンカー穴の幅方向精度を向上できるので、このアンカー穴と交差させる軸穴の精度も向上できる。即ち、この軸穴に挿入され、軽量気泡コンクリートパネルを柱に取り付けるための軸部材の位置の精度を向上できる。
これにより、建築現場における、軽量気泡コンクリートパネルの建て込み時に、鉄骨製造工場で柱に取り付けられたプレートの挿通孔に無理なく、軸部材を貫通させることができる。
よって、建築現場における軽量気泡コンクリートパネルの建て込み時の施工誤差を考慮した挿通孔を形成したプレートに比べ、プレートの大きさを小さくできるので、経済性を向上できる。
【００２０】
（３）前記プレートと前記軽量気泡コンクリートパネルとの間に配置され、前記プレートと前記軽量気泡コンクリートパネルとの界面に生ずる摩擦力を低減する弾性部材を、更に備える（１）又は（２）に記載のパネル取付構造。
【００２１】
ここで、例えば、倉庫等の建築物は、横壁構法で軽量気泡コンクリートパネルが柱に取り付けられる。この横壁構法では、地震等が生じた場合、柱は斜めに倒れて軽量気泡コンクリートパネルはそのまま横にスライドする変形になるので、柱に取り付けられたプレートは斜めに回転、軽量気泡コンクリートパネルはそのまま横に移動することからプレートと軽量気泡コンクリートパネルとの界面に摩擦力が生ずることになる。
【００２２】
（３）の発明によれば、プレートと軽量気泡コンクリートパネルとの間に、摩擦力を低減する弾性部材を設けた。
これにより、例えば、地震時に、軸部材と固定部材のトルクや摩擦力により、軽量気泡コンクリートパネルの横方向へのスライド変形が阻害され、軽量気泡コンクリートパネルが破壊されるのを防止できる。
又、例えば、予めプレートに弾性部材と取り付けておくことで、無足場施工する場合等で軽量気泡コンクリートパネルをプレートへぶつけてしまった場合等においても、軽量気泡コンクリートパネルが欠けるのを防止し、安全に取り付けることができる。
【００２３】
（４）  前記挿通孔が、前記プレートの一辺に向けて開放されていることにより、前記軸部材を前記プレートの一辺からパネル面の中心方向に向けて挿入可能なＵ字型スリットとなっている（１）から（３）のいずれかに記載のパネル取付構造。
【００２４】
（４）の発明によれば、パネル取付構造の各部分の形状や位置関係に起因して、取付け作業時のパネルの傾け方等が制約される場合であっても、軸部材をプレートに挿通させる作業を容易に行うことができる。
例えば、躯体に取付けようとする当該パネルの直上に自重受け鋼材が設置されている場合は、パネルを垂直に保持したまま最終的な取付け位置まで移動させることはできない。この場合には、パネルを斜めに保持した状態からパネル上端を引き込むような設置を行う必要があり、それに伴い、挿通孔と軸部材の位置を正確に合わせて軸部材をプレートに挿通させることが極めて困難となる。そのような場合であっても、挿通孔をＵ字型スリットとすることによって、パネル裏面から突出した軸部材とプレートとの干渉を避けながら軸部材のプレートへの挿通を行うことができる。これにより、軽量気泡コンクリートパネル設置の作業性が大きく高まる。
【００２５】
（５）  前記Ｕ字型スリットが、プレート端部側の幅広部と、プレート中心側の幅狭部と、からなり、前記幅広部の幅は、前記軸部材のワッシャー部の直径よりも大きく、
前記幅狭部の幅は、前記ワッシャー部の直径よりも小さく、前記軸部材のボルト径よりは大きい、（４）に記載のパネル取付構造。
【００２６】
（５）の発明によれば、Ｕ字型スリットの幅を上記の通りの二段階の幅とすることによって、軸部材に付属する幅が広いワッシャー部については、先ず幅広部を通過させることによって、容易にプレートに挿通させることができ、その後、ワッシャー部よりも幅の狭い軸部材のボルト部分については、ボルト径よりも大きい加工がされている幅狭部に落とし込む態様で挿通させることにより、ワッシャー部が予めボルト部分に組み込まれている軸部材を用いた場合であっても（４）の発明を容易に実施して、その効果を享受することができる。
【００２７】
（６）  前記プレートの上端と下端にそれぞれ係止可能な爪部を有するコの字型プレートが、前記プレートと前記固定部材との間に設置されている（４）又は（５）に記載のパネル取付構造。
【００２８】
（６）の発明によれば、Ｕ字型スリットから軽量気泡コンクリートパネルが脱落する事を防止できる。
【００２９】
（７）  前記プレートの上端と下端には、前記爪部が係合可能な爪部係合スリット部が形成されている（４）から（６）のいずれかに記載のパネル取付構造。
【００３０】
（７）の発明によれば、水平方向への移動によるコの字型プレートの脱落を防止することができる。
【００３１】
（８）  前記プレートは、その上端側の爪部係合スリット部の深さが、下端側の爪部係合スリット部の深さよりも小さい（７）に記載のパネル取付構造。
【００３２】
（８）の発明によれば、プレートの上端側からコの字型プレートを挿入するとコの字の引っ掛かりが係合するが、下端側からコの字型プレートを挿入すると、寸法バランスが崩れて係合不能となる構造となる。これにより、コの字型プレートの天地方向を誤って設置するミスを未然に防止することができる。又、上記プレートに係合可能なコの字型プレートのスリットは、必然的に金物の上下方向の長さの半分以上が切り欠かれているものとなるため、上下のバランスが崩れて回転して脱落することも防止できる。
【００３３】
（９）  外壁として使用される軽量気泡コンクリートパネルを柱に固定するためのパネル取付工法であって、前記軽量気泡コンクリートパネルに形成された、前記柱に当接する側縁の小口から中央方向に延びるアンカー穴に、アンカーを挿入するアンカー挿入工程と、前記軽量気泡コンクリートパネルに形成された、前記側縁近傍において内面から外面に向けて延びて前記アンカー穴と交差する軸穴に、軸部材の先端部分を挿入して、前記軸部材と前記アンカーとを係合させる軸部材挿入工程と、前記軸部材の後端部分を、前記柱に取り付けられ、前記軽量気泡コンクリートパネルの前記内面に対面して配置されたプレートの挿通孔に挿通する軸部材挿通工程と、前記プレートに挿通された前記軸部材の後端部分を、前記プレートに固定部材で固定する固定工程と、を含むパネル取付工法。
【００３４】
（９）の発明によれば、（１）の発明と同様の作用効果を奏する。
【発明の効果】
【００３５】
本発明によれば、建築現場において、溶接作業が一切発生せず、パネル一枚ずつ確実に施工でき、且つ、施工性を向上でき、取り付けミスや施工不良を低減できるパネル取付構造及びパネル取付工法を提供できる。
【図面の簡単な説明】
【００３６】
【図１】本発明の実施形態に係るパネル取付構造により、柱に固定されたＡＬＣパネルを内側から視た図である。
【図２】図１に示す前記実施形態に係るパネル取付構造により、柱に固定されたＡＬＣパネルのＡＡ’断面図を示す。
【図３】図１に示す前記実施形態に係るパネル取付構造により、柱に固定されたＡＬＣパネルのＢＢ’断面図を示す。
【図４】前記実施形態に係るパネル取付構造により、建築現場において、ＡＬＣパネルを柱に固定する方法を説明する図である。
【図５】前記実施形態に係るパネル取付構造により、建築現場において、ＡＬＣパネルを柱に固定する方法を説明する図である。
【図６】前記実施形態に係るパネル取付構造により、建築現場において、ＡＬＣパネルを柱に固定する方法を説明する図である。
【図７】本発明の実施形態の応用例に係るパネル取付構造により、柱に固定されたＡＬＣパネルを内側から視た図である。
【図８】前記応用例に係るパネル取付構造のプレートを説明する図である。
【図９】前記応用例に係るパネル取付構造により、建築現場において、ＡＬＣパネルを柱に固定する方法を説明する図である。
【図１０】前記応用例に係るパネル取付構造のプレートについて、より好ましい実施形態であるプレートの説明に供する図である。
【図１１】前記応用例に係るパネル取付構造のコの字型プレートについて、図１０のプレートと組合せて用いることによって、より好ましい実施形態とすることができるコの字型プレートの説明に供する図である。
【図１２】図１０のプレートと図１１のコの字型プレートを用いたパネル取付構造の説明に供する図である。
【発明を実施するための形態】
【００３７】
以下に、本発明の実施形態について説明する。以下の説明において、同一の構成には、同一の符号を付し、その説明を省略又は簡略にする。
図１は、本発明の実施形態に係るパネル取付構造１により、柱２００に固定されたＡＬＣパネル１００を内側から視た図である。
図２は、図１に示す前記実施形態に係るパネル取付構造１により、柱２００に固定されたＡＬＣパネル１００のＡＡ’断面図を示す。
図３は、図１に示す前記実施形態に係るパネル取付構造１により、柱２００に固定されたＡＬＣパネル１００のＢＢ’断面図を示す。
【００３８】
本発明の実施形態に係るパネル取付構造１は、外壁として使用される軽量気泡コンクリートパネル（以下、ＡＬＣパネルとも言う）１００を、建築現場での溶接が一切必要ない完全無溶接で、柱２００に固定する横壁構法を実現するものである。
パネル取付構造１は、例えば、精度よく構造躯体の柱２００が建て込まれたラック式の倉庫の外壁取り付けに適用される。
パネル取付構造１は、アンカー１０と、軸部材２０と、プレート３０と、固定部材４０と、弾性部材５０と、自重受け部材６０と、を備える。
【００３９】
パネル取付構造１が適用される柱２００は、断面形状が矩形状に形成され、鉄骨製造工場において、プレート３０及び自重受け部材６０が取り付けられ、建築現場に搬入される。プレート３０及び自重受け部材６０は、柱２００のＡＬＣパネル１００と当接する面と隣接する面において、それぞれ、垂直方向に、ＡＬＣパネル１００の短辺の寸法に基づく所定の間隔で取り付けられる。
建築現場に搬入された柱２００は、ＡＬＣパネル１００の長辺の寸法に基づく所定の間隔で配置され、建て込まれる。
【００４０】
図２に示すように、パネル取付構造１が適用されるＡＬＣパネル１００は、ＡＬＣパネル製造工場において、柱２００に当接する短辺側側縁の小口１００ａから中央方向に延びるアンカー穴１０１と、側縁近傍において内面１００ｂから外面１００ｃに向けて延びてアンカー穴１０１が形成されて建築現場に搬入される。その後、建築現場で軸穴１０２をアンカー穴１０１と交わるように形成する。
【００４１】
アンカー１０は、パイプ状に形成され、ＡＬＣパネル１００のアンカー穴１０１に挿入される。
又、アンカー１０には、軸部材２０が螺合しながら貫通し、軸部材２０と係合する貫通孔１０ａが形成されている。貫通孔１０ａは、アンカー１０の軸方向と直交する方向に形成されている。
【００４２】
軸部材２０は、ナット頭が無く螺子山が形成されたストレートボルトで構成され、ＡＬＣパネル１００の軸穴１０２に先端部分が挿入され、アンカー１０の貫通孔１０ａと螺合して貫通し、アンカー１０と係合する。
又、軸部材２０の外周の中間部分には、軸部材２０がアンカー１０の貫通孔１０ａを貫通し、ＡＬＣパネル１００の表面から、軸部材２０の後端部分が３０ｍｍ程度突き出た状態で、アンカー１０の外周面に当接するストッパーが形成されている。
【００４３】
これにより、軸部材２０を装着する場合には、まず、軸部材２０の先端部分を軸穴１０２に挿入し、アンカー１０に当接した段階で、軸部材２０を回転させる。すると、軸部材２０は、アンカー１０の貫通孔１０ａと螺合して貫通する。そして、ストッパーがアンカー１０の外周面に当接した段階で軸部材２０を回転させることができなくなり、軸部材２０は後端部分がＡＬＣパネル１００の表面から３０ｍｍ程度突き出た状態で、ＡＬＣパネル１００に固定される。
【００４４】
プレート３０は、平プレートで構成され、ＡＬＣパネル１００の内面１００ｂに対面して配置され、軸部材２０をその先端から挿通させる円形状の挿通孔３１が形成されている。
【００４５】
固定部材４０は、挿通孔３１の外径よりも少し大きな径の座金と一体になったナットで構成され、プレート３０に挿通された軸部材２０の後端部分と螺合し、軸部材２０の後端部分をプレート３０に固定する。尚、固定部材４０は、緩み止めのナットで構成してもよい。
【００４６】
弾性部材５０は、プレート３０とＡＬＣパネル１００との間に配置され、プレート３０とＡＬＣパネル１００との界面に生ずる摩擦力を低減する。例えば、弾性部材５０は、テフロン（登録商標）のシート等の摩擦係数が低いシートを表面側に貼り付けたクッション材で構成され、プレート３０のＡＬＣパネル１００の内面１００ｂに対面する面に糊付けされる。又、クッション材は、ＡＬＣパネル１００をプレート３０に適切に固定するために、固定部材４０に加える所定のトルク圧で押し潰すことができる硬さで形成されている。これにより、弾性部材５０が、パネル取り付け精度に影響を与えることがなくなる。
【００４７】
図１及び図３に示すように、自重受け部材６０は、ＡＬＣパネル１００の下端と当接し、ＡＬＣパネル１００の荷重を支持する。又、自重受け部材６０は、３〜５段毎に、足場控２５０（図３参照）と螺合する足場控用ナット６１が設けられている。
【００４８】
次に、パネル取付構造１によるパネル取付方法について説明する。
まず、鉄骨製造工場において、挿通孔３１が形成されたプレート３０を柱２００の所定位置に取り付ける。そして、この柱２００を、建築現場に搬入し、ＡＬＣパネル１００の長辺の寸法に基づく所定の間隔で配置し、建て込む。
又、ＡＬＣパネル製造工場において、ＡＬＣパネル１００に、柱２００に当接する短辺側側縁の小口１００ａから中央方向に延びるアンカー穴１０１を形成し、短辺側側縁近傍において内面１００ｂから外面１００ｃに向けて延びてアンカー穴１０１と交差する軸穴１０２を所定の寸法で建築現場で形成する。
【００４９】
図４乃至図６は、前記実施形態に係るパネル取付構造１により、建築現場において、ＡＬＣパネル１００を柱２００に固定する方法を説明する図である。
建築現場においては、まず、図４に示すように、ＡＬＣパネル１００に形成されたアンカー穴１０１に、アンカー１０を挿入する。
次に、ＡＬＣパネル１００に現場で所定の位置に形成した軸穴１０２に、軸部材２０の先端部分を挿入する。そして、軸部材２０の先端部分がアンカー１０に当接したら、軸部材２０を、回転させて、貫通孔１０ａと螺合させる。
次に、図５に示すように、柱２００にＡＬＣパネル１００を建て込み、軸部材２０の後端部分を、柱２００に取り付けられたプレート３０の挿通孔３１に挿通させる。そして、プレート３０に挿通された軸部材２０の後端部分を、プレート３０に固定部材４０で固定する。これにより、図６に示すように、ＡＬＣパネル１００が柱２００に固定される。
【００５０】
このように、パネル取付構造１によれば、建築現場においては、ＡＬＣパネル１００に予め形成された穴にアンカー１０及び軸部材２０を挿入し、軸部材２０の後端部分を、柱２００に予め取り付けられたプレート３０の挿通孔３１に挿通し、固定部材４０で固定するだけで、ＡＬＣパネル１００を確実に柱２００に固定できる。
よって、建築現場での溶接作業を一切なくし、且つ、一枚ずつ確実にパネルを取り付けることができる。又、出隅部分も隣接するパネルがなくてもパネル両端で確実に取り付けることができるので、建築現場における溶接作業を全て無くすことができるため、施工性と施工精度の向上に繋がり、施工者の技量に依存する事も無く外壁面を構成することができる。
従って、建築現場において、溶接作業が一切発生せず、パネル一枚ずつ確実に施工でき、且つ、施工性を向上でき、取り付けミスや施工不良を低減できるパネル取付構造を提供できる。
【００５１】
又、パネル取付構造１によれば、アンカー１０が挿入されるアンカー穴１０１を、ＡＬＣパネル１００の短辺側側縁の小口１００ａに形成するので、長辺側側縁の小口に形成した場合に比べ穴深さが非常に短くてすむ。これにより、アンカー穴１０１の幅方向精度を向上できるので、このアンカー穴１０１と交差させる軸穴１０２の精度も向上できる。即ち、この軸穴１０２に挿入され、ＡＬＣパネル１００を柱２００に取り付けるための軸部材２０の位置の精度を向上できる。
これにより、建築現場における、ＡＬＣパネル１００の建て込み時に、鉄骨製造工場で柱に取り付けられたプレート３０の挿通孔３１に無理なく、軸部材２０を貫通させることができる。
よって、建築現場における軽量気泡コンクリートパネルの建て込み時の施工誤差を考慮した挿通孔を形成したプレートに比べ、プレートの大きさを小さくできるので、経済性を向上できる。
【００５２】
又、パネル取付構造１によれば、プレート３０とＡＬＣパネル１００との間に、摩擦力を低減する弾性部材５０を設けた。
これにより、例えば、地震時に、軸部材２０と固定部材４０のトルクや摩擦力により、ＡＬＣパネル１００の横方向へのスライド変形が阻害され、ＡＬＣパネル１００が破壊されるのを防止できる。
又、例えば、予めプレート３０に弾性部材５０と取り付けておくことで、無足場施工する場合等でＡＬＣパネル１００をプレート３０へぶつけてしまった場合等においても、ＡＬＣパネル１００が欠けるのを防止し、安全に取り付けることができる。
【００５３】
次に、本発明の実施形態の応用例１について説明する。
図７は、本発明の実施形態の応用例１に係るパネル取付構造１Ａにより、柱２００に固定されたＡＬＣパネル１００を内側から視た図である。
本発明の実施形態の応用例１に係るパネル取付構造１Ａは、パネル取付構造１とは、プレートの構成及びコの字型プレートを備える点が異なる。
パネル取付構造１Ａは、アンカー１０と、軸部材２０と、プレート３０Ａと、固定部材４０と、弾性部材５０と、自重受け部材６０と、を備え、更に、コの字型プレート７０を備える。
【００５４】
図８は、前記応用例１に係るパネル取付構造１Ａのプレート３０Ａを説明する図である。
プレート３０Ａは、平プレートで構成され、ＡＬＣパネル１００の内面１００ｂ（図２参照）に対面して配置され、軸部材２０（図２参照）を上方より挿入させるＵ字型スリット３１Ａが形成されている。Ｕ字型スリット３１Ａは、軸部材２０の径よりも少し大きい寸法で形成され、上方に向かって開放されている。
【００５５】
図９は、前記応用例１に係るパネル取付構造１Ａにより、建築現場において、ＡＬＣパネル１００を柱２００に固定する方法を説明する図である。
コの字型プレート７０は、軸部材２０が挿通する挿通孔７１が略中央に形成されている。コの字型プレート７０は、プレート３０Ａと固定部材４０との間に配置され、プレート３０Ａの上端と下端に、それぞれ係止する爪部７２が上端及び下端に形成されている。
【００５６】
次に、パネル取付構造１Ａによるパネル取付方法について説明する。
まず、パネル取付構造１と同様の方法により、ＡＬＣパネル１００に軸部材２０を取り付ける。そして、既に取り付けられたＡＬＣパネル１００の上方に、今回取り付けるＡＬＣパネル１００を配置し、軸部材２０の後端部分を、柱２００に取り付けられたプレート３０Ａのスリット３１Ａに上方より挿入させる。そして、コの字型プレート７０の挿通孔７１に軸部材２０を挿通し、コの字型プレート７０の爪部７２をプレート３０Ａの上端と下端に係止させる。次に、軸部材２０の後端部分を、コの字型プレート７０を介してプレート３０Ａに固定部材４０で固定する。
【００５７】
このように、パネル取付構造１Ａによれば、鉄骨製造工場において、溶接固定されたプレート３０ＡにＵ型のスリットが加工されており、そのＵ字型スリット３１Ａはボルト（軸部材２０）の径よりも少し大きい寸法で形成され、上に向かって開放されている。
一般的に横積みパネルを施工する際には、レッカーやホイストクレーン等を利用してＡＬＣパネル１００を下から順番に積み重ねていく方法が取られ、ＡＬＣパネル１００は上から下ろすように積み重ねていく。
【００５８】
ここで、柱２００に取り付けられたプレートに空けられた穴が丸穴だとすると、ＡＬＣパネル１００を吊上げて固定するには、ＡＬＣパネル１００を、躯体から離した位置で上から下ろし、柱２００に取り付けられたプレートの穴とＡＬＣパネル１００から突き出たボルト（軸部材２０）が合う位置で、手前に引き込むように行う必要が有る。しかし、ＡＬＣパネル１００によっては、図９に示すように、長辺側小口下端に凹部１１０が形成され、長辺側小口上端に凸部１２０が形成されている。このため、ＡＬＣパネル１００を柱２００に取り付ける場合、取り付けるＡＬＣパネル１００を、既に柱２００に取り付けられたＡＬＣパネル１００の凸部１２０を乗り越えて引き込む必要が有るため、一旦、凸部１２０の上の位置で上から下ろすのを止め、ＡＬＣパネル１００を引き込んでから下のＡＬＣパネル１００の凸部１２０に、取り付けるＡＬＣパネル１００の凹部１１０が合うように下ろす必要が有る。それだと穴径をその分大きくしておく必要が有るため経済的ではない。
【００５９】
パネル取付構造１Ａによれば、柱２００に取り付けられたプレート３０Ａの上部にＵ字型スリット３１Ａが入っているので、ＡＬＣパネル１００を上から柱２００に接しさせながら下ろした場合裏面から突き出たボルト（軸部材２０）がプレート３０Ａと干渉する事もなく、且つ、既に取り付けられた下のＡＬＣパネル１００の凸部１２０を乗り越える必要もないのでスムーズにＡＬＣパネル１００を容易に積み重ねることが出来る。
【００６０】
又、Ｕ字型スリット３１Ａを形成したプレート３０ＡによりＡＬＣパネル１００を固定する場合、ＡＬＣパネル１００はボルト（軸部材２０）に螺合した固定部材４０とプレート３０Ａの締め付けによる摩擦力だけで固定されており、万が一そのＵ字型スリット３１Ａからボルト（軸部材２０）が抜け落ちるような応力が生じてしまったときに抜け落ちる危険性もある。
パネル取付構造１Ａによれば、プレート３０Ａとボルト（軸部材２０）に螺合した固定部材４０の間にコの字型プレート７０を介在させ、そのコの字型プレート７０を、工場で取り付けられたプレート３０Ａの上下部に覆いかぶるようにセットするので、Ｕ字型スリット３１ＡからＡＬＣパネル１００が脱落する事を防止できる。
【００６１】
更に、上記の応用例１のより好ましい実施形態の詳細について説明する。図１０は、応用例１に係るパネル取付構造１Ａのプレートについて、より好ましい実施形態であるプレート３０Ｂの説明に供する図である。図１０に示す通り、プレート３０Ｂは、プレート３０Ａと同様に、平プレートで構成され、Ｕ字型スリットが形成されているが、このＵ字型スリット３１Ｂは、プレート端部側の幅広部（幅Ｗ２の部分）と、プレート中心側の幅狭部（幅Ｗ１の部分）と、からなる。そして、幅広部の幅Ｗ２は、軸部材２０のワッシャー部８０の直径よりも大きく、幅狭部の幅Ｗ１は、ワッシャー部８０の直径よりも小さく、軸部材２０のボルト径よりは大きい。幅狭部の幅Ｗ１と、上記ボルト径との大きさの差は、軸部材の挿通作業時におけるクリアランスとして適当な範囲の差であればよく、固定後のボルトの安定性を損なわない範囲内の差異とする。
【００６２】
通常、軸部材２０には、２３φ程度のワッシャー（座金）が、ワッシャー部８０として予め組み込まれている。Ｕ字型スリット３１Ｂが上記形状であることによって、幅の大きいワッシャー部８０を幅広部を通して挿入し、尚且つ、ボルト部分を幅狭部に係合させることによって、軸部材２０をプレート３０Ｂに高い作業性の下で挿通させることができる。
【００６３】
図１１及び図１２は、応用例１に係るパネル取付構造１Ａのコの字型プレートについて、プレート３０Ｂと組合せて用いることによって、より好ましい実施形態とすることができるコの字型プレート７０Ｂ及びその好ましい実施形態の説明に供する図である。図１１に示す通り、コの字型プレート７０Ｂは、コの字型プレート７０の挿通孔７１に代えて、Ｕ字型スリット７１Ｂが形成されている。図１２に示すように、コの字型プレート７０Ｂは、上側から挿入してプレート３０Ｂと組合せて軸部材２０を挟み込む態様で用いることにより、パネル取付構造１Ａの取付け工法の作業性と、パネル取付構造１Ａの安定性を更に高めることができる。
【００６４】
又、プレート３０Ｂには、図１０に示す通り、その上端と下端に、コの字型プレート７０、７０Ｂの爪部７２が係合可能な爪部係合スリット部３２Ｂ、３３Ｂが形成されている。これにより、コの字型プレート７０、７０Ｂの水平方向への移動による脱落を防止することができる。更に、爪部係合スリット部は、上端側の爪部係合スリット部３２Ｂの深さｄ１が、下端側の爪部係合スリット部３３Ｂの深さｄ２よりも小さい。これにより、プレート３０Ｂの上端側からコの字型プレート７０、７０Ｂを挿入するとコの字の引っ掛かりが係合するが、下端側からコの字型プレート７０、７０Ｂを挿入すると、寸法バランスが崩れて係合不能となる。これにより、コの字型プレート７０、７０Ｂの天地方向を誤って設置する施工ミスを未然に防止することができる。又、プレート３０Ｂに係合可能なコの字型プレートのＵ字型スリット７１Ｂは、必然的にコの字型プレート７０Ｂの上下方向の長さの半分以上が切り欠かれている形状とする必要がある。このようなＵ字型スリット７１Ｂを有するコの字型プレート７０Ｂは、万が一固定部における螺合強度が弱まった場合であっても、にわかには上下のバランスが崩れて回転することはなく、コの字型プレートの脱落事故を防止することができる。
【産業上の利用可能性】
【００６５】
本発明は、例えば、外壁として使用される軽量気泡コンクリートパネルを柱に固定するためのパネル取付構造及びパネル取付方法に利用することができる。
【符号の説明】
【００６６】
１        パネル取付構造
１０      アンカー
２０      軸部材
３０      プレート
３１      挿通孔
４０      固定部材
５０      弾性部材
６０      自重受け部材
７０      コの字型プレート
８０      ワッシャー部
１００    ＡＬＣパネル
１００ａ  短辺側側縁の小口
１００ｂ  内面
１００ｃ  外面
１０１    アンカー穴
１０２    軸穴
２００    柱
【図１】
2014196657.tif 000003
【図２】
2014196657.tif 000004
【図３】
2014196657.tif 000005
【図４】
2014196657.tif 000006
【図５】
2014196657.tif 000007
【図６】
2014196657.tif 000008
【図７】
2014196657.tif 000009
【図８】
2014196657.tif 000010
【図９】
2014196657.tif 000011
【図１０】
2014196657.tif 000012
【図１１】
2014196657.tif 000013
【図１２】
2014196657.tif 000014